(57)【特許請求の範囲】
【請求項１】
折り畳み式携帯電話機を着脱自在に保持する携帯電話機保持具であって、垂下部と、被固定部への固定手段とを有し、該垂下部は、垂下するように固定手段と連結され、略Ｕ字形であり、挿通部を有し、該挿通部に折り畳み式携帯電話機の一方の筐体を挿通してから折り畳み、かつ、折り畳み式携帯電話機の折り畳んだ筐体間に挟んだ状態で垂下保持するように構成されていることを特徴とする携帯電話機保持具。
【請求項２】
折り畳み式携帯電話機を着脱自在に保持する携帯電話機保持具であって、垂下部と、被固定部への固定手段とを有し、該垂下部は、垂下するように固定手段と連結され、下端に携帯電話機を係止するストッパーを有し、かつ、折り畳み式携帯電話機の折り畳んだ筐体間に挟んだ状態で垂下保持するように構成されていることを特徴とする携帯電話機保持具。
【発明の詳細な説明】
【技術分野】
【０００１】
本発明は、折り畳み式携帯電話機を着脱自在に保持する携帯電話機保持具に関するものである。
【背景技術】
【０００２】
近年、携帯電話機は技術革新により通話だけでなく電子メールやインターネット、カメラ、さらには決済手段としての機能までを持つようになり、若者から熟年者まで幅広い年齢層において一人一台の現代生活の必需品になりつつある。現在、携帯電話機はこれらの情報を表示する大きな画面の必要性から、表示部筐体と操作部筐体とが回動軸を介して連結された折り畳み式のものが主流であり、始終身に付けてすぐに使用できることが必要とされているので、上着またはズボンのポケットに入れて携帯している人がほとんどである。また、衣類に取り付けて携帯電話機を保持する携帯電話機保持具として特許文献１のような携帯電話機を収納するケースをベルトに取り付けるものが以前より使用されている。特許文献２や特許文献３のように折り畳み式携帯電話機を吊るし掛けて保持する携帯電話機保持具が提案されている。
【特許文献１】特開平９−２７１４０８号公報
【特許文献２】特開２００５−６５７５３号公報
【特許文献３】実用新案登録第３０９９６７１号公報
【発明の開示】
【発明が解決しようとする課題】
【０００３】
しかしながら、携帯電話機を衣類のポケットに入れた場合、携帯電話機の重さで衣服が引っ張られ、厚さでポケットが膨らみ、嵩張りを感じ不快である。また、喧騒の中では着信音を感知し辛いこともある。特許文献１のようなケース状の携帯電話機保持具はケース自体が嵩張り、収納できる携帯電話機の大きさが限定され、ケースへの出し入れに手間取り、着信時にすぐに取り出せないという問題がある。特許文献２や特許文献３の携帯電話機保持具は、携帯電話機を吊るし掛ける部材の両端が固定されており、身体との狭い空間に携帯電話機を上方から挿し込むように吊るし掛けねばならず、身体に非常に近い位置で着脱するため着脱がしにくかった。また、これらの携帯電話機保持具はベルト等のウエスト部の高い位置で携帯電話機を着脱するため、携帯電話機着脱時に肘を大きく曲げることになり、上着を着ている時などには着脱がしにくかった。また、ケースや剛性枠材やクリップ等の保持具の構成部材が衣類からの突起物となり、硬質で厚みを有するためウエストのサイズや体の動きによっては異物感や嵩張りを感じ、さらに特許文献２や特許文献３の携帯電話機保持具においては携帯電話機を吊るし掛ける部材がこれらの突起物の間に浮いた状態であるため、腕や上着に引っ掛かり邪魔で、衣類との一体感がなく服のラインを壊し、見栄えが悪かった。このため特に女性においてはファッション上の理由からもほとんど使用されていないのが現状である。
【０００４】
本発明は、上述の問題点を鑑み創出されたもので、衣類からの突起物とならず邪魔にならず、嵩張らず、衣類との一体感があり見栄えがよく女性でも抵抗なく使用でき、折り畳み式携帯電話機の様々な機種に対応できて、素早く容易に折り畳み式携帯電話機を着脱できる携帯電話機保持具を提供することを目的とする。
【課題を解決するための手段】
【０００５】
上記の課題を解決するために、本発明は、以下の（１）〜（２）に記載の携帯電話機保持具を提供するものである。
【０００６】
（１）折り畳み式携帯電話機を着脱自在に保持する携帯電話機保持具であって、垂下部と、被固定部への固定手段とを有し、該垂下部は、垂下するように固定手段と連結され、略Ｕ字形であり、挿通部を有し、該挿通部に折り畳み式携帯電話機の一方の筐体を挿通してから折り畳み、かつ、折り畳み式携帯電話機の折り畳んだ筐体間に挟んだ状態で垂下保持するように構成されていることを特徴とする携帯電話機保持具。
【０００７】
（２）折り畳み式携帯電話機を着脱自在に保持する携帯電話機保持具であって、垂下部と、被固定部への固定手段とを有し、該垂下部は、垂下するように固定手段と連結され、下端に携帯電話機を係止するストッパーを有し、かつ、折り畳み式携帯電話機の折り畳んだ筐体間に挟んだ状態で垂下保持するように構成されていることを特徴とする携帯電話機保持具。
【発明の効果】
【００１３】
本発明は、衣類からの突起物とならず邪魔にならず、嵩張らず、衣類との一体感があり見栄えがよく女性でも抵抗なく使用でき、折り畳み式携帯電話機の様々な機種に対応できて、素早く容易に折り畳み式携帯電話機を着脱できる携帯電話機保持具を提供することができる。
すなわち、本発明の携帯電話機保持具は、折り畳み式携帯電話機で垂下部を挟んで閉じるのみで携帯電話機を極めて容易に保持でき、保持された携帯電話機は上方へ引き抜くことにより瞬時に使用できる。しかも、折り畳み式携帯電話機の筐体間を利用して吊るし止めるので、折り畳み式携帯電話機の様々な形状、厚みに関係なく保持できる。
また、垂下部は垂れ下がった状態で、垂下部を身体から離すように動かすことで、身体から少し離れた位置で携帯電話機を吊るし掛けることが可能で、携帯電話機の着脱がしやすい。垂下部はウエスト部から垂れ下がり比較的低い位置にあるので、携帯電話機着脱時に肘を大きく曲げることなく楽な動作で着脱でき、上着を着ている時でも上着があまり邪魔にならず着脱できる。
さらに垂下部は垂れ下がった状態であるので、着座等の体位の変動や歩行等の運動によって動く携帯電話機に追従して垂下部も動き、携帯電話機の動きを規制しないうえ重心位置が低いため携帯電話機が落下しにくい。
衣類からの突起物とならず、携帯電話機保持具に腕や上着が引っ掛かったりせず、邪魔にならず、嵩張らず、衣類との一体感があり、見栄えがよく、ファッションを崩さず女性でも抵抗なく使用できる。
また、携帯電話機は露出した状態で身体に沿って垂下して保持されるので携帯電話機の厚さ以上の突起物がなく、嵩張らず、軽快感があり、携帯電話機の背面の表示部も見え、着信音も聞こえやすい。
身体と携帯電話機の間に上方から指を入れ、身体から離すように動かすことで、携帯電話機を上方からつまみやすく、引き抜きやすい。
【発明を実施するための最良の形態】
【００１４】
以下、本発明の詳細を図面を参照しながら説明する。本発明の携帯電話機保持具が保持対象とする折り畳み式携帯電話機は図面にあるような表示部筐体Ｋ１と操作部筐体Ｋ２とが回動軸Ｋ３を介して連結された折り畳み式の携帯電話機Ｋである。
【００１５】
［実施形態１］
図１は本発明の第１の実施形態に係る携帯電話機保持具の斜視図であり、図２は同携帯電話機保持具の分解斜視図であり、図３は同携帯電話機保持具の使用状態を示す説明図である。
【００１６】
図１、図２、図３に示すように本発明の第１の実施形態に係る携帯電話機保持具１０は被固定部をベルトＢ１とし、ベルトＢ１に固定できるように形成したベルトＢ１への固定手段１１と、携帯電話機を吊るし掛けて保持する薄板状の垂下部１２とから構成されている。
【００１７】
固定手段１１は革材等の板状体を二つに折ったもので、開放辺側の対向面に雌部と雄部が嵌合するスナップボタン１３を有し、このスナップボタンを嵌合してベルト挿通部１４を形成している。
【００１８】
垂下部１２は、略四角形の薄平板であり、折り畳み式携帯電話機Ｋの表示部筐体Ｋ１あるいは操作部筐体Ｋ２のどちらか一方を挿通可能な大きさの略四角形の挿通部１５を有し、その上部の両端部には固定手段のスナップボタン１３の雄部が挿入可能な連結孔１６を有し、この連結孔１６を通してスナップボタン１３を嵌合し、垂下部１２の上部が固定手段１１に連結され、固定手段１１から垂れ下がっている。
【００１９】
垂下部１２は、折り畳み式携帯電話機Ｋの回動軸Ｋ３に掛かり吊るし止めるもので、折り畳み式携帯電話機Ｋの折り畳まれた表示部筐体Ｋ１と操作部筐体Ｋ２の間に挿入および抜き取りができる薄さである。例えば１ｍｍ以下、より好ましくは０．１〜０．５ｍｍの薄さが例示される。折り畳み式携帯電話機は、折り畳んだ状態で操作キーの表面と表示部との干渉を防ぐため、筐体間に上記程の隙間が設けられているのが一般的である。
【００２０】
垂下部１２は携帯電話機Ｋの着脱時に動かせるような曲げられる素材で、合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン、セルロイド等の可撓性を有する合成樹脂が好ましい。金属等の硬質素材の場合は、携帯電話機の表面を傷つけないように表面をゴム、布、軟質合成樹脂等で被覆したり、起毛処理等を施すのが好ましい。
【００２１】
挿通部１５に折り畳み式携帯電話機Ｋの表示部筐体Ｋ１あるいは操作部筐体Ｋ２のどちらか一方を挿通して携帯電話機Ｋを垂下部１２に吊るし掛けるので、挿通部１５の横幅は携帯電話機Ｋの幅以上であるが、縦幅も携帯電話機Ｋの幅以上であることが好ましい。このように形成することで携帯電話機Ｋを上方からだけでなく、横方向から挿通しても吊るし掛けることが可能で、携帯電話機Ｋの装着の角度が制限されず、また携帯電話機Ｋを挿通する空間も広くなり、携帯電話機Ｋの吊るし掛けがしやすくなる。
【００２２】
本実施形態では挿通部１５は略四角形の穿孔であるが、折り畳み式携帯電話機の筐体の一方を挿通でき、携帯電話機を吊るし掛けて保持できれば形状は特に制限されず、円形等の穿孔や切り込みであってもよい。
【００２３】
本実施形態の垂下部１２の形状は略四角形であるが円形や多角形等の幾何学形の他、動物や植物、またはアート、文字、イラスト、キャラクター等の形あるいは柄としてもよい。
【００２４】
垂下部１２を薄平板とすることで、表面に印刷がしやすく、シート状の素材を型抜きする等して製造することで様々な形に容易に成形できるので、上記の多様なバリエーションの展開が容易で、意匠性の高い色柄、形状の垂下部を安価に提供できる。表面に家庭用プリンタで印刷可能となる処理を施し、使用者が好みの写真やグラフィックをプリントできるようにしてもよい。
【００２５】
本実施形態の垂下部１２はスナップボタン１３により固定手段１１に連結されているので取り外して交換でき、服装に合わせて上記の様々なものに付け替えが可能である。
【００２６】
垂下部１２は固定手段１１に縫合、接着等で固着されていてもよいが、携帯電話機の着脱を繰り返すと垂下部１２が伸びたり切れたりする可能性があるので交換可能であることが好ましい。また、垂下部１２の連結孔１６にも荷重がかかるので破損防止のためハトメ、皮革、合成樹脂等の補強部材で補強してもよい。
【００２７】
本実施形態では固定手段１１と垂下部１２との連結はスナップボタン１３によるものであるが、固定手段１１と垂下部１２を連結できるものであればよく、連結環、鎖、紐状材、帯状材、ナス環、回動軸等のいずれか一つ又は複数の連結手段で連結されたものであってもよい。
【００２８】
本実施形態の固定手段１１はスナップボタン１３で開閉可能に構成されているが、スナップボタン１３は通常ボタン、面ファスナー等に変更してもよいし、また、ベルトＢ１に固定できるものであれば開閉可能でなくてもよく、革材等の板状体を環状に形成し、ベルト挿通部としたものでもよいし、ベルト挿通部を有する合成樹脂の成型品等でもよい。固定手段の素材も皮革、合成樹脂、布、繊維、金属、ゴム、シリコン等の単一または複合した素材が考えられる。
【００２９】
本実施形態ではスナップボタン１３に固定手段１１を開閉する機能と垂下部１２を連結する機能、二つの機能をもたせているが、上記に例示した様なものをそれぞれ独立して設けてもよい。また、ゴム、シリコン、合成樹脂等の素材で固定手段と垂下部とを一体的に成形してもよい。
【００３０】
以上のように構成された携帯電話機保持具１０の使用方法を説明すると、図２、図３に示すように固定手段１１を上方からベルトＢ１を挟むようにして包み掛け、垂下部１２の連結孔１６を通してスナップボタン１３を嵌合させ、ベルトＢ１に固定する。あらかじめ上記のように組み立てた携帯電話機保持具１０のベルト挿通部１４にベルトＢ１を通してもよい。
【００３１】
垂下部１２は薄板状で身体に沿って垂れ下がった状態となり、衣類からの突起物とならないため、腕や上着が引っ掛かったりせず邪魔にならず、嵩張らず、衣類との一体感があり見栄えがよい。また、垂下部１２または携帯電話機保持具１０を服装に合わせて付け替えることができ、ファッション性にも優れる。
【００３２】
携帯電話機の着脱方法を説明すると、図３に示すように折り畳み式携帯電話機Ｋを少し開いた状態にし、挿通部１５に折り畳み式携帯電話機Ｋの操作部筐体Ｋ２を挿通し、操作部筐体Ｋ２で垂下部１２を引っ掛けて身体から離れる方向に動かして、表示部筐体Ｋ１と操作部筐体Ｋ２とで垂下部１２を挟んで折り畳むと、携帯電話機Ｋは垂下部１２を挟んだ状態で下方へ滑り、垂下部１２が携帯電話機Ｋの回動軸Ｋ３に掛かり、携帯電話機Ｋは垂下部１２に吊るし止められる。片手で素早く極めて簡単に携帯電話機の吊るし掛けができ、携帯電話機Ｋは露出した状態で身体に沿って垂下して保持される。
【００３３】
携帯電話機Ｋを使用する時は携帯電話機Ｋを閉じたまま上方へ引き抜くと、携帯電話機Ｋを吊るし止めていた垂下部１２が表示部筐体Ｋ１と操作部筐体Ｋ２の間を滑り抜け、携帯電話機Ｋは瞬時に携帯電話機保持具１０から取り外せて使用可能となる。
【００３４】
垂下部１２は垂れ下がった状態で、垂下部１２を身体から離すように動かすことで、身体から少し離れた位置で携帯電話機Ｋを吊るし掛けることが可能で、携帯電話機Ｋの着脱がしやすい。垂下部１２はウエスト部から垂れ下がり比較的低い位置にあるので、携帯電話機着脱時に肘を大きく曲げることなく楽な動作で着脱でき、上着を着ている時でも上着が邪魔にならず着脱できる。
【００３５】
さらに垂下部１２は垂れ下がった状態であるので、着座等の体位の変動や歩行等の運動によって動く携帯電話機Ｋに追従して垂下部１２も動き、携帯電話機Ｋの動きを規制しないうえ重心位置が低いため携帯電話機Ｋが落下しにくい。
【００３６】
折り畳み式携帯電話機Ｋの筐体間を利用して吊るし止めるので、携帯電話機の様々な形状、厚みに関係なく保持できる。また、携帯電話機Ｋは露出した状態で身体に沿って垂下して保持されるので携帯電話機Ｋの厚さ以上の突起物がなく、嵩張らず、軽快感があり、携帯電話機Ｋの背面の表示部も見え、着信音も聞こえやすい。
【００３７】
衣類からの突起物とならず、携帯電話機保持具１０に腕や上着が引っ掛かったりせず、邪魔にならず、嵩張らず、衣類との一体感があり、見栄えがよく、ファッションを崩さず女性でも抵抗なく使用できる。
【００３８】
身体と携帯電話機Ｋの間に上方から指を入れ、身体から離すように動かすことで、携帯電話機Ｋを上方からつまみやすく、引き抜く方向も上方はもちろん、斜め方向にも引き抜け、携帯電話機を引き抜きやすい。
【００３９】
図４は携帯電話機保持具１０の別の垂下部１２ａを示す斜視図で、折り畳み式携帯電話機の折り畳まれた表示部筐体と操作部筐体の間に挿入および抜き取りができる薄さの垂下部１２ａに下部が半円形の略Ｕ字形の切り込み状の挿通部１５ａを設けた。挿通部１５ａに携帯電話機の筐体の一方を挿通し、垂下部１２ａを挟み、携帯電話機を吊るし掛けて保持する。このように形成すると垂下部１２ａにグラフィック、広告等の印刷面を広く取れる。
【００４０】
図５は携帯電話機保持具１０のさらに別の垂下部１２ｂを示す斜視図で、折り畳み式携帯電話機の折り畳まれた表示部筐体と操作部筐体の間に挿入および抜き取りができる薄さの略Ｕ字形の薄板状の垂下部１２ｂとし、固定手段１１と垂下部１２ｂの間に形成される挿通部１５ｂに携帯電話機の筐体の一方を挿通し、垂下部１２ｂを挟み、携帯電話機を吊るし掛けて保持できるようにした。
【００４１】
図６は携帯電話機保持具１０のさらに別の垂下部１２ｃを示す斜視図で、垂下部１２ｃをピアノ線等の細い金属線の表面をゴム、合成樹脂等で被覆したものや、ナイロン、フロロカーボン、ポリエステル、ポリエチレン等の合成繊維よりなる釣糸（テグス）等の折り畳み式携帯電話機の折り畳まれた表示部筐体と操作部筐体の間に挿入および抜き取りが可能な太さの細紐状（線状体）とし、両端を固定手段１１に固定し、放物線状に垂れ下げたものである。
【００４２】
なお、図６は細紐状の垂下部１２ｃを複数本設置した例であり、垂下部１２ｃは一本でもよいが、このように細紐状の垂下部１２ｃを複数本設置すると、一本が切れても残った垂下部１２ｃで携帯電話機を保持できる。また、携帯電話機吊り掛け時も複数の垂下部１２ｃの何本かに掛かればよく、吊るし掛けがしやすい。
【００４３】
１５ａ、１５ｂのように挿通部下部形状を弧状とする、または垂下部を１２ｃのように線状体で形成すると図７に示す（垂下部１２ｂを例に説明する）ように、着座等の体位の変動や歩行等の運動にあわせて吊るし掛けた携帯電話機Ｋが重力方向に容易に滑り動くことができ、携帯電話機Ｋの荷重による垂下部１２ｂの捩れを軽減でき、さらに垂下部１２ｂは携帯電話機Ｋを回動軸の両端で保持するため、筐体の回動軸付近に突起のある機種でも、垂下部１２ｂが突起に引っ掛かることなく吊るし掛けることができる。なお、図１〜３に示す挿通部１５のように四角形等で角を有する場合にも角に大きいＲをとることで同様の効果が期待できる。
【００４４】
被固定部をベルトに固定できるように形成したベルトへの固定手段と、携帯電話機を吊るし掛けて保持する垂下部とから構成されている本発明の第１の実施形態に係る携帯電話機保持具は、図８に示すような変形が可能である。図８は、垂下部１２ｄ全体ではなく、垂下部１２ｄの下端のみが折り畳み式携帯電話機Ｋの折り畳まれた筐体間に挿入可能な薄平板である態様を含んでいる。
【００４５】
図８の態様は、皮革等の板状体を二つ折りにしたもので、ベルト挿通部１４ａを有する固定手段１１ａと、固定手段１１ａから垂れ下がった垂下部１２ｄとを有し、垂下部１２ｄに折り畳み式携帯電話機Ｋの筐体のどちらか一方を挿通できる挿通部１５ｄを有し、挿通部１５ｄの下端が折り畳み式携帯電話機Ｋの折り畳まれた表示部筐体Ｋ１と操作部筐体Ｋ２の間に挿入および抜き取りができる薄さの帯状の薄平板で構成されたものである。帯状の薄平板はスナップボタン等で取り外せて付け替えられるように構成されている。
【００４６】
図９は固定手段と垂下部を１つのスナップボタンで連結した態様で、固定手段１１ｂは皮革等の帯状体の両端部に設けたスナップボタン１３を嵌合しベルト挿通部１４ｂを形成したものであり、折り畳まれた表示部筐体Ｋ１と操作部筐体Ｋ２の間に挿入可能な薄さの垂下部１２ｅがスナップボタン１３により固定手段１１ｂから垂下するように連結されている。垂下部１２ｅには折り畳み式携帯電話機Ｋの筐体のどちらか一方を挿通できる挿通部１５ｅを有する。
【００４７】
このように構成すると、垂下部１２ｅがスナップボタン１３を軸に回動可能となり、携帯電話機Ｋを保持した垂下部１２ｅが着座等の体位の変動や歩行等の運動にあわせて重力方向に容易に動くことができ、垂下部１２ｅの捩れを軽減できる。
【００４８】
図９の態様は、例えば、図１０に示すような変形が可能である。図１０は、垂下部１２ｆ全体ではなく、垂下部１２ｆの下端のみが折り畳み式携帯電話機の筐体間に挿入可能な薄平板である態様である。
【００４９】
［実施形態２］
図１１は本発明の第２の実施形態に係る携帯電話機保持具の斜視図であり、図１２は同携帯電話機保持具の使用状態を示す説明図である。
【００５０】
図１１、図１２に示すように本発明の第２の実施形態に係る携帯電話機保持具２０は、ズボンやスカートのウエスト上端内側に差し挟み固定する薄板状の固定手段２１と、固定手段２１に連結し折り畳み式携帯電話を吊るし掛けて保持する薄板状の垂下部２２とからなる。本実施形態では円形の薄平板を二つに折り曲げ一方を固定手段２１とし、他方を垂下部２２としている。
【００５１】
垂下部２２は、折り畳み式携帯電話機Ｋの表示部筐体Ｋ１あるいは操作部筐体Ｋ２のどちらか一方を挿通可能な大きさの半円形の挿通部２３を有し、略Ｕ字形で、固定手段２１から折り曲げを軸に回動自在に垂れ下がっている。
【００５２】
垂下部２２は、折り畳み式携帯電話機の折り畳んだ筐体間を利用して吊るし止めるものであり、折り畳み式携帯電話機Ｋの折り畳まれた表示部筐体Ｋ１と操作部筐体Ｋ２の間に挿入および抜き取りができる薄さ、例えば１ｍｍ以下、好ましくは０．１〜０．５ｍｍである。折り畳み式携帯電話機は折り畳んだ時に操作キーの表面と表示部との干渉を防ぐため、筐体間に上記程の隙間が設けられているのが一般的である。
【００５３】
垂下部２２は折り曲げを軸に回動自在であり、固定手段２１はウエスト部Ｗ１に固定時にウエストのカーブに沿って曲がるため、電話機保持具２０の素材は合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン等の可撓性を有する合成樹脂が好ましい。金属等の硬質素材の場合は、携帯電話機の表面を傷つけないように表面をゴム、布、軟質合成樹脂等で被覆したり、起毛処理等を施すのが好ましい。
【００５４】
本実施形態では挿通部２３は折り畳み式携帯電話機Ｋの表示部筐体Ｋ１あるいは操作部筐体Ｋ２のどちらか一方を挿通可能な半円形の穿孔であるが、携帯電話機Ｋを吊るし掛けて保持できれば形状は特に制限されず、四角形や円形等の穿孔や略Ｕ字形等の切り込みでもよいが、挿通部２３の下部の形状は、本実施形態のように弧形であることが好ましい。このように形成すると、図１３に示すように着座等の体位の変動や歩行等の運動にあわせて吊るし掛けた携帯電話機Ｋが重力方向に滑り動くことができ、携帯電話機Ｋの荷重による垂下部２２の捩れを軽減でき、さらに垂下部２２は携帯電話機Ｋを回動軸Ｋ３の両端で保持するため、筐体の回動軸付近に突起のある携帯電話機でも、垂下部２２が突起に引っ掛かることがない。
【００５５】
垂下部２２の形状は楕円形や多角形等の幾何学形の他、動物や植物、またはアート、文字、イラスト、キャラクター等の形あるいは柄としてもよい。また、固定手段２１もウエスト等の上端部に挟め、携帯電話機保持具２０を固定できるものであれば形状は特に制限されない。
【００５６】
本実施形態の携帯電話機保持具２０は薄平板より成るため、表面に印刷がしやすく、シート状の素材を型抜きする等して製造することで様々な形に容易に成形できるので、上記の多様なバリエーションの展開が容易で、意匠性の高い色柄、形状の携帯電話機保持具を安価に提供できる。表面に家庭用プリンタで印刷可能となる処理を施し、使用者が好みの写真やグラフィックをプリントできるようにしてもよい。
【００５７】
本携帯電話機保持具２０の製造方法としては、射出成型や圧縮成型の他、上記素材よりなる大判のシートに印刷し、型抜きすることで、組み立て工程を必要とせず、極めて簡単に製造でき、製造に要する工程及びコストを大幅に低減でき、非常に安価に提供できる。
【００５８】
全体が薄平板状であるため封筒に入れ郵送でき、社名や名前、宣伝等を入れる印刷面を広く取れるため、販促品、ＰＲ用品、贈答品、記念品等の展開に最適である。
【００５９】
本発明の携帯電話機保持具２０は意匠の自由度が高く、様々な色柄、形状のバリエーション展開が容易であり、意匠性の高い色柄、形状のバリエーションを服装に合わせて付け替えることで、携帯電話機保持具としてはもちろん、新しいファッションとして認知される可能性がある。
【００６０】
以下、この携帯電話機保持具２０の使用方法を説明すると、図１２、図１３に示すように固定手段２１をズボンまたはスカートのウエスト部上端Ｗ１内側に差し挟むことにより、携帯電話機保持具２０は垂下部２２が外側に垂れ下がった状態で衣類に固定される。ベルトとズボンの間、またはポケットに差し挟んでもよい。ウエスト部上端Ｗ１に差し挟んで固定するためベルトをしないズボンやスカートでも使用できる。
【００６１】
ズボン等のウエスト部上端Ｗ１に挟持された固定手段２１はウエストのカーブに沿って曲がり、どのようなウエストのサイズにもフィットし、また、体を動かした時のウエストの動きに合わせても曲がるので装着感に極めて優れ、嵩張りや違和感が無く装着できる。
【００６２】
また、ウエストのカーブに合わせて固定手段２１が水平方向に湾曲することにより、垂直方向には曲がり難くなり、携帯電話機Ｋの荷重がかかっても固定手段２１が容易には滑り抜け落ちなくなる。固定手段２１が軟質合成樹脂、布、皮革、紙、ゴム等の柔軟な素材の場合は前記の作用が弱く、固定手段２１が抜け易いので、金属、硬質合成樹脂等の硬質部材で固定手段２１を補強するのが好ましい。
【００６３】
携帯電話機着脱時に固定手段２１をより抜け難くするため、固定手段２１の表面に凹凸を設けたり、ゴム、シリコン等の接触抵抗の大きな素材で固定手段２１の表面を被覆したりする等の滑り止め処理を施してもよい。
【００６４】
また、固定手段２１をさらに抜けにくくするため、固定手段２１にズボン等の内側の縫製の段差に引っ掛かるような穿孔または切り込みを設けたり、固定手段下端を上方に折り返したりしてもよい。その他ボタン、面ファスナーなどを付加して固定機能を強化することもできる。
【００６５】
携帯電話機保持具２０は薄板状であるため、衣類からの突起物とならず衣類とほぼ一体となり、邪魔にならず、見栄えがよく、服装に合わせて付け替えられ、ファッション性にも優れる。
【００６６】
本実施形態では垂下部２２と固定手段２１は薄平板を折り曲げることにより同一素材で一体的に形成しているが、固定手段は皮革等、垂下部とは別部材で構成し、垂下部と連結してもよいし、垂下部を取り外して付け替えられるように構成してもよい。垂下部と固定手段は回動軸で連結してもよい。
【００６７】
固定手段２１は他の固定手段としてもよく、例えばベルト挿通部を有しベルトに取り付けるもの、ズボン等の端部を挟持するクリップ状のもの等としてもよい。
【００６８】
以下、携帯電話機の着脱方法を説明すると、図１２に示すように挿通部２３に折り畳み式携帯電話機Ｋの表示部筐体Ｋ１あるいは操作部筐体Ｋ２のどちらか一方を挿通し、表示部筐体Ｋ１と操作部筐体Ｋ２とで垂下部２２を挟むように二つ折りに畳むと、携帯電話機Ｋは垂下部２２を挟んで下方へ滑り、垂下部２２が携帯電話機の回動軸Ｋ３に掛かり、携帯電話機Ｋは垂下部２２に吊るし止められる。携帯電話機Ｋは露出した状態で身体に沿って垂下して保持される。携帯電話機Ｋを少し開いた状態にし、操作部筐体Ｋ２で垂下部２２を引っ掛けて身体から離れる方向に引き上げて垂下部２２を挟んで閉じるようにすると片手で容易に装着できる。
【００６９】
携帯電話機Ｋを使用する時は携帯電話機Ｋを閉じたまま上方へ引き抜くと、携帯電話機Ｋを吊るし止めていた垂下部２２が表示部筐体Ｋ１と操作部筐体Ｋ２の間を滑り抜け、携帯電話機Ｋは瞬時に携帯電話機保持具２０から取り外せて使用可能となる。
【００７０】
［実施形態３］
図１４は本発明の第３の実施形態に係る携帯電話機保持具の斜視図であり、図１５は同携帯電話機保持具の使用状態を示す説明図である。
【００７１】
図１４、図１５に示すように本発明の第３の実施形態に係る携帯電話機保持具３０は固定手段３１が開閉機構を有するフックで、携帯電話機を吊るし掛ける垂下部３２が円形の薄平板であり、垂下部３２には折り畳み式携帯電話機Ｋの表示部筐体Ｋ１あるいは操作部筐体Ｋ２のどちらか一方を挿通できる大きさの円形の挿通部３３が設けられている。
【００７２】
垂下部３２の上部には固定手段３１と連結するための連結孔３４が設けられ、固定手段３１と連結環３５で揺動自在に連結され、固定手段３１から垂れ下がっている。連結孔３４は携帯電話機の荷重で破損するのを防ぐためハトメで補強されている。
【００７３】
垂下部３２は、折り畳み式携帯電話機の回動軸に掛かり吊るし止めるものであり、折り畳み式携帯電話機Ｋの折り畳まれた表示部筐体Ｋ１と操作部筐体Ｋ２の間に挿入および抜き取りできる薄さ、例えば１ｍｍ以下、好ましくは０．１〜０．５ｍｍである。折り畳み式携帯電話機は、折り畳んだ状態で操作キーの表面と表示部との干渉を防ぐため、筐体間に上記程の隙間が設けられているのが一般的である。
【００７４】
垂下部３２の素材としては、合成樹脂、布、繊維、皮革、紙、金属、ゴム、シリコン等の単一または複合した素材が考えられるが、携帯電話機を保持するための強度を有するものであり、かつ、携帯電話機を傷つけ難いものであること、さらに、装着時のフィット感や製造に要するコストを考慮すると、例えばテレフォンカードやプリペイドカードのようなポリエチレンテレフタレート（ＰＥＴ）、塩化ビニール、ポリエチレン、ポリプロピレン、セルロイド等の合成樹脂が好ましい。金属等の硬質素材の場合は、携帯電話機の表面を傷つけないように表面をゴム、布、軟質合成樹脂等で被覆したり、起毛処理等を施すのが好ましい。
【００７５】
挿通部３３に折り畳み式携帯電話機Ｋの表示部筐体Ｋ１あるいは操作部筐体Ｋ２のどちらか一方を挿通して携帯電話機Ｋを垂下部３２に吊るし掛けるので、挿通部３３の横幅は携帯電話機Ｋの幅以上であるが、縦幅も携帯電話機Ｋの幅以上であることが好ましい。このように形成することで携帯電話機Ｋを上方からだけでなく、横方向から挿通しても吊るし掛けることが可能で、携帯電話機Ｋの装着の角度が制限されず、また携帯電話機Ｋを挿通する空間も広くなり、携帯電話機Ｋの吊るし掛けがしやすくなる。
【００７６】
本実施形態では挿通部３３は円形の穿孔であるが、折り畳み式携帯電話機の筐体の一方を挿通でき、携帯電話機を吊るし掛けて保持できれば形状は特に制限されず、四角形等の穿孔や切り込みであってもよい。また、本実施形態の垂下部３２の形状も四角形や多角形等の幾何学形の他、動物や植物、またはアート、文字、イラスト、キャラクター等の形あるいは柄としてもよい。
【００７７】
垂下部３２を薄平板とすることで、表面に印刷がしやすく、シート状の素材を型抜きする等して製造することで様々な形に容易に成形できるので、上記の多様なバリエーションの展開が容易で、意匠性の高い色柄、形状の垂下部を安価に提供できる。表面に家庭用プリンタで印刷可能となる処理を施し、使用者が好みの写真やグラフィックをプリントできるようにしてもよい。
【００７８】
本実施形態の垂下部３２は全体が薄平板からなるが、上部を金属や合成樹脂、皮革等の硬質部材とし、下部を薄板状の部材としてもよい。さらに垂下部が取り外せ付け替え可能な構成としてもよい。
【００７９】
固定手段３１と垂下部３２とは連結環３５と連結孔３４で連結されているが、連結環、鎖、紐状材、帯状材、回動軸等、固定手段３１と垂下部３２とを連結できるものであればよい。開閉機構を有するフック等で簡単に取り外し可能に連結してもよいが、垂下部３２が自在に動くのが好ましい。また、本実施形態では固定手段３１は垂下部３２の連結孔３４と連結されているが、挿通部３３と連結されてもよい。
【００８０】
以上のように構成された携帯電話機保持具３０を固定する被固定部としては、ズボンまたはスカートのベルト通しの他、鞄の持ち手や金具部、ジッパーの先端の穴、あるいは店頭のディスプレイ什器等、様々な部位とする事ができる。
【００８１】
固定手段３１は開閉機構を有するフックであるが、ナス環、カラビナ等、公知の様々なものとすることができる。固定手段を吸盤、両面テープ等として車内のガラス、ダシュボード等に固定できるようにしてもよい。
【００８２】
図１５は、被固定部の一例であるズボンのベルト通しＢ２へ、この携帯電話機保持具３０を固定し、携帯電話機Ｋを保持した図である。図１５に示すように固定手段３１をズボンまたはスカートのベルト通しＢ２にかけると垂下部３２が身体に沿って揺動自在に垂下した状態で携帯電話機保持具３０は衣類に固定される。
【００８３】
垂下部３２は薄板状で身体に沿って垂れ下がった状態で、身体からの突起物とならないため、腕や上着が引っ掛かったりせず邪魔にならず、衣類との一体感があり見栄えがよい。また、携帯電話機保持具３０は服装に合わせて付け替えることができ、ファッション性にも優れる。
【００８４】
以下、携帯電話機の着脱方法を説明すると、挿通部３３に折り畳み式携帯電話機Ｋの表示部筐体Ｋ１あるいは操作部筐体Ｋ２のどちらか一方を挿通し、表示部筐体Ｋ１と操作部筐体Ｋ２とで垂下部３２を挟むように二つ折りに畳むと、携帯電話機Ｋは垂下部３２を挟んで下方へ滑り、垂下部３２が携帯電話機の回動軸Ｋ３に掛かり、携帯電話機Ｋは垂下部３２に吊るし止められる。携帯電話機Ｋは露出した状態で身体に沿って垂下して保持される。携帯電話機Ｋを少し開いた状態にし、操作部筐体Ｋ２で垂下部３２を引っ掛けて身体から離れる方向に動かして垂下部３２を挟んで閉じるようにすると片手で容易に装着できる。
【００８５】
携帯電話機を使用する時は携帯電話機Ｋを閉じたまま上方へ引き抜くと、携帯電話機Ｋを吊るし止めていた垂下部３２が表示部筐体Ｋ１と操作部筐体Ｋ２の間を滑り抜け、携帯電話機Ｋは瞬時に携帯電話機保持具から取り外せて使用可能となる。
【００８６】
［実施形態４］
本発明の携帯電話機保持具は、垂下部が略Ｙ字形で、１つの先端部は固定手段と連結され、他の２つの先端部には携帯電話機のストッパーを有することを特徴とする態様を包含する。
【００８７】
図１６は本発明の第４の実施形態に係る携帯電話機保持具の斜視図であり、図１７は同携帯電話機保持具の使用状態を示す説明図である。図１６、図１７に示すように本発明の第４の実施形態に係る携帯電話機保持具４０は固定手段４１が開閉機構を有するフックで、携帯電話機を保持する垂下部４２が逆Ｙ字形の薄平板であり、垂下部４２は固定手段４１と連結環４３で揺動自在に連結され、固定手段４１から垂れ下がっている。
【００８８】
垂下部４２は折り畳まれた携帯電話機の表示部筐体と操作部筐体の間に挿入および抜き取りが可能な薄さ、例えば１ｍｍ以下、好ましくは０．１〜０．５ｍｍである。折り畳み式携帯電話は、折り畳んだ状態で操作キーの表面と表示部との干渉を防ぐため、筐体間に隙間が設けられているのが一般的である。
【００８９】
この素材としては合成樹脂、布、繊維、皮革、紙、金属、ゴム、シリコン等の単一または複合した素材が考えられるが、携帯電話機を保持する強度を有するものであり、かつ携帯電話機を傷つけ難いものであること、さらに製造に要するコストを考慮すると、ポリエチレンテレフタレート（ＰＥＴ）、塩化ビニール、ポリエチレン、ポリプロピレン、セルロイド等の合成樹脂素材よりなることが好ましい。金属等の硬質素材の場合は、携帯電話機の表面を傷つけないように表面をゴム、布、軟質合成樹脂等で被覆したり、起毛処理等を施すのが好ましい。
【００９０】
逆Ｙ字形の垂下部４２の３つの先端部のうち、上部の先端部には固定手段４１との連結のための連結孔４４が設けられ、下部の２つの先端部には、携帯電話機Ｋを係止するストッパー４５を有する。ストッパー４５は円柱状の合成樹脂で、垂下部４２に設けられた穿孔４６を通して両面から嵌合し回転可能に取り付けられている。連結孔４４は携帯電話機の荷重で破損するのを防ぐためハトメ等で補強されている。
【００９１】
ストッパー４５は折り畳み式携帯電話機Ｋの筐体間に垂下部４２を挟んで閉じた時に滑り落ちる携帯電話機Ｋの側面に当たり、携帯電話機Ｋを係止して垂下部４２に吊るし留めることができるような厚みを有するもので、本実施形態では円柱状の合成樹脂であるが、携帯電話機Ｋを止めて滑り落ちないように係止できるような形状、素材であればよく、形状、色柄は特に制限されず、例えば厚手の革材等で垂下部４２の両面を挟んで縫合したものでもよいし、楕円や多角形、球、等の幾何学形、動植物やキャラクター等の形状であってもよい。垂下部４２が合成樹脂、ゴム、シリコン等よりなる場合は垂下部４２とストッパー４５を一体的に成型してもよい。
【００９２】
本実施形態のようにストッパー４５を円柱状で回転可能とすると携帯電話機Ｋの側面に接した時に回転し、摩擦が少ないので引っ掛かりにくく、また携帯電話機Ｋの側面も傷つけにくい。
【００９３】
本実施形態では垂下部４２の形状は２つのストッパー４５を有する逆Ｙ字形であるが、携帯電話機の吊るし掛けが可能な形状であればよく、下端に１つのストッパーを有する帯状、縦方向に長い薄平板状等であってもよい。
【００９４】
携帯電話機Ｋを吊るし掛ける時に携帯電話機Ｋの重心が垂下部４２の連結孔４４とストッパー４５を結んだ線より深い位置に来るように携帯電話機Ｋで垂下部４２を挟まないと携帯電話機Ｋは垂下部４２に吊り掛けられず落下するため、本実施形態のように逆Ｙ字形にするとストッパー４５が横方向に張り出し、垂下部４２を横方向の他、縦方向から挟んでも吊るし掛けることができるので携帯電話機を吊るし掛けやすい。
【００９５】
また、垂下部４２の連結孔４４とストッパー４５の間の形状を凹ますと、携帯電話機Ｋを吊るし掛けた時に携帯電話機Ｋがより立った状態で保持され安定するので、垂下部４２は、くの字形や弧形としてもよいが、吊るし掛ける方向が限定されるので本実施形態のように逆Ｙ字形とすると携帯電話機Ｋを両方から吊るし掛けられ好ましい。
【００９６】
固定手段４１と垂下部４２とは連結環４３と連結孔４４で連結されているが、鎖、紐状材、帯状材、回動軸等、固定手段４１と垂下部４２とを連結できるものであればよい。開閉機構を有するフック等で簡単に取り外し可能に連結してもよいが、垂下部４２が自在に動くのが好ましい。
【００９７】
以上のように構成された携帯電話機保持具４０を固定する被固定部としては、ズボンまたはスカートのベルト通しの他、鞄の持ち手や金具部、ジッパーの先端の穴、あるいは店頭のディスプレイ什器等、様々な部位とする事ができる。
【００９８】
固定手段４１は開閉機構を有するフックであるが、ナス環、カラビナ等、公知の様々なものとすることができる。固定手段を吸盤、両面テープ等として車内のガラス、ダシュボード等に固定できるようにしてもよい。
【００９９】
以下、この携帯電話機保持具４０の被固定部の一例であるズボンのベルト通しへの固定方法と携帯電話機の着脱方法を説明すると、図１７に示すように固定手段４１をズボンまたはスカートのベルト通しＢ２にかけることにより、垂下部４２が身体に沿って垂下した状態で携帯電話機保持具４０が固定される。
【０１００】
少し開いた状態の携帯電話機Ｋの表示部筐体Ｋ１と操作部筐体Ｋ２とで垂下部４２を挟むように二つ折りに閉じると、携帯電話機Ｋは垂下部４２を挟んで下方に滑り動き、携帯電話機Ｋの側面にストッパー４５が接する。さらに携帯電話機Ｋの重さでストッパー４５は回動軸Ｋ３方向に滑り動き、垂下部４２が携帯電話機の回動軸Ｋ３に掛かり携帯電話機Ｋは携帯電話機保持具４０に斜めに吊るし止められる。携帯電話機Ｋは露出した状態で身体に沿って垂下して保持される。
【０１０１】
携帯電話機Ｋを使用する時は携帯電話機Ｋを閉じたまま上方へ引き抜くと、携帯電話機Ｋを吊るし止めていた垂下部４２が表示部筐体Ｋ１と操作部筐体Ｋ２の間を滑り抜け、携帯電話機Ｋは瞬時に携帯電話機保持具４０から取り外せて使用可能となる。
【０１０２】
［実施形態５］
図１８は本発明の第５の実施形態に係る携帯電話機保持具の斜視図である。図１８に示すように本発明の第５の実施形態に係る携帯電話機保持具５０は固定手段５１が開閉機構を有するフックで、携帯電話機を保持する紐状の垂下部５２が固定手段５１に連結され垂れ下がり、垂下部５２の下端にはドーナツ状のストッパー５３を有する。
【０１０３】
垂下部５２は携帯電話機Ｋの横幅以上の長さの紐状で、折り畳み式携帯電話機Ｋの折り畳まれた表示部筐体Ｋ１と操作部筐体Ｋ２の間に挿入および抜き取りができる細さであり、例えば直径１ｍｍ以下、好ましくは直径０．１〜０．５ｍｍである。折り畳み式携帯電話機は、折り畳んだ状態で操作キーの表面と表示部との干渉を防ぐため、筐体間に上記程の隙間が設けられているのが一般的である。垂下部５２の長さを長くし、二つ以上の携帯電話機を保持できるようにしてもよい。
【０１０４】
垂下部５２の素材としては上記の太さで柔軟性を有するものであればよく、合成樹脂、繊維、皮革、金属、ゴム、シリコン等の単一または複合した素材が考えられるが、携帯電話機を保持するための強度を有するものであり、かつ、携帯電話機の表示部を傷つけないこと、装着時のフィット感や製造に要するコストを考慮すると、ピアノ線等の細い金属線の表面をゴム、合成樹脂等で被覆したものや、ナイロン、フロロカーボン、ポリエステル、ポリエチレン等の合成繊維よりなる釣糸（テグス）が好ましい。数本のポリエチレン等の原糸を編みこんだものにすると全てが切れる前に交換することが出来る。
【０１０５】
ストッパー５３は折り畳み式携帯電話機Ｋの筐体間に垂下部５２を挟んで閉じた時に滑り落ちる携帯電話機Ｋの側面に当たり、携帯電話機Ｋを係止して垂下部５２に吊るし留めることができるような厚みを有するもので、本実施形態ではドーナツ状であるが、携帯電話機Ｋを止めて滑り落ちないように係止できるような形状、素材であればよく、形状、色柄は特に制限されず、例えば楕円や多角形、円柱、球、等の幾何学形、人や犬猫等の動物、花や葉っぱ等の植物、地形や天体等の自然物、またはイラスト、アート、キャラクター、文字、工業製品等の創造物の形あるいは柄でもよい。ストッパー５３を取り外し可能とし、上記の様々なものに付け替えられるようにしてもよい。
【０１０６】
本実施形態ではストッパー５３を、指を挿入可能なドーナツ状とし、携帯電話機Ｋを吊るし掛ける時にストッパー５３に指を入れて引き上げることで携帯電話機Ｋを垂下部５２に吊るし掛けやすくした。
【０１０７】
以上のように構成された携帯電話機保持具５０を固定する被固定部としては、ズボンまたはスカートのベルト通しの他、鞄の持ち手や金具部、ジッパーの先端の穴、あるいは店頭のディスプレイ什器等、様々な部位とする事ができる。
【０１０８】
固定手段５１は開閉機構を有するフックであるが、ナス環、カラビナ等、公知の様々なものとすることができる。固定手段を吸盤、両面テープ等として車内のガラス、ダシュボード等に固定できるようにしてもよい。
【０１０９】
以下、この携帯電話機保持具５０の被固定部の一例であるズボンのベルト通しへの固定方法と携帯電話機の着脱方法を説明すると、図１９に示すようにフックをズボンまたはスカートのベルト通しＢ２にかけることにより、垂下部５２が身体に沿って垂下した状態で携帯電話機保持具５０が固定される。
【０１１０】
少し開いた状態の携帯電話機Ｋの表示部筐体Ｋ１と操作部筐体Ｋ２とで垂下部５２を挟むように二つ折りに閉じると、携帯電話機Ｋは垂下部５２を挟んで下方に滑り動き、携帯電話機Ｋの側面にストッパー５３が接する。さらに携帯電話機Ｋの重さでストッパー５３は回動軸方向に滑り動き、垂下部５２が携帯電話機Ｋの回動軸Ｋ３に掛かり携帯電話機Ｋは携帯電話機保持具５０に斜めに吊るし止められる。携帯電話機Ｋは露出した状態で身体に沿って垂下して保持される。
【０１１１】
携帯電話機Ｋを使用する時は携帯電話機Ｋを閉じたまま上方へ引き抜くと、携帯電話機Ｋを吊るし止めていた垂下部５２が表示部筐体Ｋ１と操作部筐体Ｋ２の間を滑り抜け、携帯電話機Ｋは瞬時に携帯電話機保持具５０から取り外せて使用可能となる。
【０１１２】
［実施形態６］
図２０は本発明の第６の実施形態に係る携帯電話機保持具の斜視図であり、図２１は同携帯電話機保持具の使用状態を示す説明図である。図２０、図２１に示すように本発明の第６の実施形態に係る携帯電話機保持具６０は固定手段６１が開閉機構を有する二つのフックであり、この二つのフックの間に携帯電話機を保持する垂下部６２が垂れ下がっている。
【０１１３】
垂下部６２は携帯電話機を保持する帯状の薄平板６３の両端の連結孔６５に鎖６４が連結されたもので鎖６４は固定手段６１に連結され固定手段６１から垂下している。薄平板の両端には連結孔６５は形態電話機の荷重がかかるため、ハトメにより補強がなされている。
【０１１４】
薄平板６３は折り畳まれた携帯電話機の表示部筐体と操作部筐体の間に挿入および抜き取りが可能な薄さ、例えば１ｍｍ以下、好ましくは０．１〜０．５ｍｍである。折り畳み式携帯電話は、折り畳んだ状態で操作キーの表面と表示部との干渉を防ぐため、筐体間に隙間が設けられているのが一般的である。
【０１１５】
薄平板６３の素材は、合成樹脂、布、繊維、皮革、紙、金属、ゴム、シリコン等の単一または複合した素材が考えられるが、携帯電話機を保持するための強度を有するものであり、かつ、軽量であること、さらに、装着時のフィット感や製造に要するコストを考慮すると、ポリエチレンテレフタレート（ＰＥＴ）、塩化ビニール、ポリエチレン、ポリプロピレン、セルロイド等の可撓性を有する合成樹脂素材が好ましい。保持部材が金属等の硬質素材の場合は、携帯電話機の表示部を傷つけないように表面をゴム、布、軟質合成樹脂等で被覆したり、起毛処理等を施したりしてもよい。
【０１１６】
薄平板６３は携帯電話機を吊るし掛けて保持できるものであれば形状、色柄は特に制限されず、例えば楕円や多角形等の幾何学形、人や犬猫等の動物、花や葉っぱ等の植物、地形や天体等の自然物、またはイラスト、アート、キャラクター、文字、工業製品等の創造物の形あるいは柄でもよい。表面に印刷がしやすく、シート状の素材を型抜きする等して製造することで様々な形に容易に成形できるので、上記の多様なバリエーションの展開が容易で、意匠性の高い色柄、形状の薄平板６３を安価に提供できる。表面に家庭用プリンタで印刷可能となる処理を施し、使用者が好みの写真やグラフィックをプリントできるようにしてもよい。
【０１１７】
薄平板６３は、折り畳まれた携帯電話機の表示部筐体と操作部筐体の間に挿入および抜き取りが可能なテグス、ワイヤー等の紐状の部材としてもよい。
【０１１８】
薄平板と鎖は連結環により連結されているが、開閉機構を有するフック、ボタン、スナップボタン等の他の連結手段とし、薄平板を取り外し可能とし、上記の様々なものに付け替えられるように構成してもよい。
【０１１９】
鎖６４は帯状材、紐、連結環、チェーンのいずれか一つ又は複数としてもよい。また、本実施例の固定手段は開閉機構を有するフックであるがカラビナ等他の固定手段であってもよい。
【０１２０】
以下、この保持具の使用方法を説明すると、図２１に示すように二つのフックをズボンまたはスカートのベルト通しＢ２にかけることにより、垂下部６２が身体に沿って垂下した状態で衣類に固定される。
【０１２１】
垂下部６２は垂下した状態であるので、着座、前屈等の体位の変動にあわせて垂下部６２は自在に動き、装着感に極めて優れ、嵩張りや違和感が無く装着できる。携帯電話機保持具６０は、衣類に沿ってほぼ一体となり、携帯電話機保持具６０に腕や上着が引っ掛かったりせず、邪魔にならず、見栄えがよく、服装に合わせて付け替えられ、ファッション性にも優れる。  
【０１２２】
携帯電話機の着脱方法を説明すると、図２１に示すように携帯電話機Ｋを少し開いた状態にし、折り畳み式携帯電話機Ｋの表示部筐体Ｋ１と操作部筐体Ｋ２とで薄平板６３を挟んで折り畳むと、携帯電話機Ｋは薄平板６３を挟んだ状態で下方へ滑り、薄平板６３が携帯電話機Ｋの回動軸Ｋ３に掛かり、携帯電話機Ｋは垂下部６２に吊るし止められる。片手で素早く極めて簡単に装着でき、携帯電話機Ｋは露出した状態で身体に沿って垂下して保持される。携帯電話機Ｋを使用する時は携帯電話機Ｋを閉じたまま上方へ引き抜くと、携帯電話機Ｋを吊るし止めていた薄平板６３が表示部筐体Ｋ１と操作部筐体Ｋ２の間を滑り抜け、携帯電話機Ｋは瞬時に携帯電話機保持具６０から取り外せて使用可能となる。
【産業上の利用可能性】
【０１２３】
本発明の携帯電話機保持具は意匠の自由度が高く、様々な色柄、形状のバリエーション展開が容易であり、意匠性の高い色柄、形状のバリエーションを服装に合わせて付け替えることで、携帯電話機保持具としてはもちろん、新しいファッションとして認知される可能性がある。また、垂下部が薄板状のものは社名、名前等を入れる印刷面を広く取れ、薄いため封筒に入れ郵送できるので贈答品、記念品、ＰＲ用品等にも展開できる。
【０１２４】
本発明の携帯電話機保持具は、折り畳み式携帯電話機の他にも二つに折り畳み可能な物品や吊るし掛け可能な物品、例えば小型コンピュータ、ＰＤＡ等の携帯情報端末機、ＣＤ、ＭＤ、メモリープレーヤー等の携帯音楽プレーヤー、さらには文具、工具、眼鏡、財布、小物入れ、タオル、小型鞄等も保持できるものとして応用展開が可能である。
【図面の簡単な説明】
【０１２５】
【図１】実施形態１に係る携帯電話機保持具の斜視図。
【図２】実施形態１に係る携帯電話機保持具の分解斜視図。
【図３】実施形態１に係る携帯電話機保持具の使用状態を示す説明図。
【図４】実施形態１に係る携帯電話機保持具の別の垂下部を示す斜視図。
【図５】実施形態１に係る携帯電話機保持具のさらに別の垂下部を示す斜視図。
【図６】実施形態１に係る携帯電話機保持具のさらに別の垂下部を示す斜視図。
【図７】実施形態１に係る携帯電話機保持具に保持された携帯電話機の動きを示す正面図。
【図８】実施形態１に係る携帯電話機保持具の変形態様の斜視図。
【図９】実施形態１に係る携帯電話機保持具の別の変形態様を示す斜視図。
【図１０】図９に示す態様の変形例の斜視図。
【図１１】実施形態２に係る携帯電話機保持具の斜視図。
【図１２】実施形態２に係る携帯電話機保持具の使用状態を示す説明図。
【図１３】実施形態２に係る携帯電話機保持具の使用状態を示す説明図。
【図１４】実施形態３に係る携帯電話機保持具の斜視図。
【図１５】実施形態３に係る携帯電話機保持具の使用状態を示す説明図。
【図１６】実施形態４に係る携帯電話機保持具の斜視図。
【図１７】実施形態４に係る携帯電話機保持具の使用状態を示す説明図。
【図１８】実施形態５に係る携帯電話機保持具の斜視図。
【図１９】実施形態５に係る携帯電話機保持具の使用状態を示す説明図。
【図２０】実施形態６に係る携帯電話機保持具の正面図。
【図２１】実施形態６に係る携帯電話機保持具の使用状態を示す説明図。
【符号の説明】
【０１２６】
１０、２０、３０、４０、５０，６０  携帯電話機保持具
１１、１１ａ、１１ｂ、２１、３１，４１，５１、６１  固定手段
１２、１２ａ、１２ｂ、１２ｃ、１２ｄ、１２ｅ、１２ｆ、２２，３２，４２，５２、６２  垂下部
１３  スナップボタン
１４、１４ａ、１４ｂ  ベルト挿通部
１５，１５ａ、１５ｂ、１５ｄ、１５ｅ、１５ｆ、２３、３３  挿通部
１６、３４、４４、６５  連結孔
３５、４３  連結環
４５、５３  ストッパー
６３  薄平板
６４  鎖
Ｗ１  ズボン上端
Ｂ１  ベルト
Ｂ２  ベルト通し
Ｋ  携帯電話機
Ｋ１  表示部筐体
Ｋ２  操作部筐体
Ｋ３  回動軸
【図１】
0005284619.tif 000002
【図２】
0005284619.tif 000003
【図３】
0005284619.tif 000004
【図４】
0005284619.tif 000005
【図５】
0005284619.tif 000006
【図６】
0005284619.tif 000007
【図７】
0005284619.tif 000008
【図８】
0005284619.tif 000009
【図９】
0005284619.tif 000010
【図１０】
0005284619.tif 000011
【図１１】
0005284619.tif 000012
【図１２】
0005284619.tif 000013
【図１３】
0005284619.tif 000014
【図１４】
0005284619.tif 000015
【図１５】
0005284619.tif 000016
【図１６】
0005284619.tif 000017
【図１７】
0005284619.tif 000018
【図１８】
0005284619.tif 000019
【図１９】
0005284619.tif 000020
【図２０】
0005284619.tif 000021
【図２１】
0005284619.tif 000022